(57)【要約】【課題】畳がキッチリと枠体に嵌っているため、枠を分解しない限り中の畳を取り出すのが難しい。よって、中の畳を簡単に裏返したり、上げたりすることができる畳枠を提供する。【解決手段】置畳を複数帖内部で固定するものであって、平面視矩形状の枠構造であり、その枠の一部が移動又は取外し可能に構成されたもの、及び置畳を複数帖内部で固定するものであって、平面視矩形状の枠構造であり、その枠の一部を押圧することによって畳の一部が持ち上がるよう構成されたテコ部を設けたもの。【選択図】　図１
2004011202.tif 000002
【特許請求の範囲】
【請求項１】
置畳を複数帖内部で固定するものであって、平面視矩形状の枠構造であり、その枠の一部が移動又は取外し可能に構成されたことを特徴とする畳枠。
【請求項２】
置畳を複数帖内部で固定するものであって、平面視矩形状の枠構造であり、その枠の一部を押圧することによって畳の一部が持ち上がるよう構成されたテコ部を設けたことを特徴とする畳枠。
【発明の詳細な説明】
【０００１】
【発明の属する技術分野】
本発明は、畳枠に関するものである。
【０００２】
【従来の技術】
畳は、従来から部屋に敷き詰めるもので中世のように部屋の一部にのみ敷くということはない。
しかしながら、最近では畳の部屋のない家屋やマンションが増加しており、１部屋は無理としても、せめて１部屋の１部だけでも畳を敷いてほしいという要望が年配者からあった。
【０００３】
そこで、薄い畳をフローリングの間に２畳や３畳分敷いて部分的に畳の部屋にすることが行われてきている。
しかし、これだけでは畳が離れてばらばらになってしまうため、畳同士を固定しなければならない。
【０００４】
そこで、現在では、個々の畳を係合させるか、すべての畳を収納できる枠で固定するかされている。
【０００５】
【発明が解決しようとする課題】
しかしながら、このような固定法であっても次のような欠点があった。
畳同士個々に固定する方法は、畳に特別な加工が必要であり、畳を傷付けることとなる。
また、枠方式はこの点については問題はないが、畳を上げたり敷きこんだりするのが難しい。キッチリと枠体に嵌っているため、枠を分解しない限り中の畳を取り出すのが難しいのである。
【０００６】
通常は、畳を裏返すことはないが、最近リバーシブル畳と称して、表裏両面が使用できる畳が市販されてきている。例えば、表が畳表で、裏面が絨毯のもの等である。このような場合、その部屋の雰囲気、また同じ部屋でも催しものの差によって和室にしたり洋室にしたい場合がある。例えば、雛祭りは和室で行ない、クリスマスパーティーは洋室で行なう等である。勿論、その人の好み等により頻繁に換えたいということも生じる。
【０００７】
このような場合、従来の方式では折角リバーシブルを購入したにもかかわらず、裏返すのが面倒なため裏面を使用していない場合が多い。
【０００８】
【課題を解決するための手段】
以上のような状況に鑑み、本発明者は鋭意研究の結果本発明畳枠を完成させたものであり、その特徴とするところは、置畳を複数帖内部で固定するものであって、平面視矩形状の枠構造であり、その枠の一部が移動又は取外し可能に構成された点にあり、他の態様では、置畳を複数帖内部で固定するものであって、平面視矩形状の枠構造であり、その枠のを押圧することによって畳の一部が持ち上がるよう構成されたテコ部を設けた点にある。
【０００９】
ここでいう置畳とは、部屋の全面に敷き詰める畳ではなく、部屋の一部に敷物のように、一般的には移動可能に、置かれるものをいう。このため、つまづかないように通常は薄く（１０〜２５ｍｍ程度）構成されている。
本発明では、特別な畳である必要はなく、通常の置畳ばかりでなく、裏面が他の敷物（絨毯やその他）であるリバーシブル畳や、両面とも畳表であるが織り方が異なるもの等どのようなものでもよい。また、縁付のものでも、縁なしのものでもよい。
本発明でいう畳表は、天然イグサを織ったものでも、模造イグサを織ったものでもよい。模造イグサとは、プラスチックや紙を原料として天然イグサとほぼ同様の太さに成形したものをいう。その製法や成形方法はどのようなものでもよい。また、織り方も自由であり、特別なものである必要はない。
サイズは、半畳タイプでも１畳タイプでも、また規格以外のサイズでもよい。通常は当然矩形であるが、三角形その他の形状でもよい。
【００１０】
枠構造とは、底や天井がなく、基本的に畳の側面周囲のみの構造体である。複数の畳がばらけるのいを防止するためのものであるためである。勿論、わずかの部分が畳の下方に位置する構造は含まれる。
この枠の材質は、木製、金属製、プラスチック製等何でもよく、特に限定するものではない。感触や美しさからは木製、価格からはプラスチックが優れているが自由である。
枠の断面形状も三角やテーパ状等のつまずきにくい形状が好ましいし、すべり止めのゴム等を裏面に付ける等してもよい。
【００１１】
この枠構造自体は、どのような構成のものでもよいが、その一部が移動可能又は取外し可能であればよい。通常のこの種のものは、一旦組み立てればドライバーやスパナで分解しない限り、その一部が移動したり、取り外せることはない。また、意識的にそのような構造にしている。
【００１２】
一部が移動可能とは、枠を構成している部分が簡単に移動して、内部の畳の側面が露出するものである。例えば、枠の一部が可回転に支持されて、支持部と反対側が摩擦や磁力等で固定されているものでもよい。
【００１３】
また、一部が取外し可能とは、一部がはめ込み式になっており、それが簡単に外せるタイプ等である。
【００１４】
以上のように枠の一部が移動したり、取外すのは、そこから畳の下に手を入れて畳を持ち上げるためである。畳は枠の中にきっちりと収まっていると取り出しにくいが、重量自体はしれているため下に手が入ると簡単に持ちあがる。
【００１５】
また、本発明の他の態様は、その枠の一部を押圧することによって畳の一部が持ち上がるよう構成されたテコ部を設けたものである。
押圧は手や足で行なうが、その押圧によって畳の端部下方に位置するテコが持ちあがり、それによって畳の一部が持ちあがるものである。これも畳の下方に手が入るようになればよい。
【００１６】
【発明の実施の形態】
以下図面に示す実施の形態に基づいて、本発明をより詳細に説明する。
図１は、本発明畳枠１の１例を用いて半畳タイプの縁なし畳２を固定しているところを示す平面図である。この例では、畳枠１の１ヶ所に移動部３が設けられている。勿論、複数箇所設けてもよい。
【００１７】
図２は、上記移動部３の拡大側面図である。移動部３は、一方側で上下に回転可能に軸支され、他方側は単にかみ合わせ構造になっている。枠自体は、通常の使用方法では、この移動部の存在によって畳が移動したり、枠自体が外れたりすることはない。上下方向であるため、足が当たったりしても持ちあがって移動部が上がった状態のままになることはない。
【００１８】
図３は、図２と同様であるが、移動部３は水平面上で回転して枠の外側に移動するタイプである。この場合には、軸支部に戻りバネを設けて常にゆっくり元の状態に戻るようにしてもよい。
【００１９】
図４は、図３と同様の平面図であり、移動タイプではなく取外しタイプである。この例では、取外し部４は、垂直方向に出し入れできる。この構造は、最も簡単で特別な部品は不要であり枠の一部を切断するだけでよい。
【００２０】
図５は、枠の一部を押圧することによって畳の一部が持ち上がるよう構成されたテコ部を設けた例である。枠の一部に下方に移動できる押圧部５を設け、その下方にテコ部６を設ける。通常は、畳２の荷重によって押圧部５は、図５（ａ）に示すように上方に位置している。この押圧部５を手や足で押圧すると、下方に下がり、テコ部６を押し下げ、その結果として図５（ｂ）に示すように畳２が持ち上がる。
【００２１】
【発明の効果】
本発明畳枠には次のような大きな利点がある。
（１）　枠の一部が簡単に移動又は取外しできるため、畳の側面の下方にすぐに手が入り、畳を簡単に持ち上げることができる。これは、畳の交換、裏返し、移動等に非常に便利である。リバーシブル畳のように、頻繁に畳を反転させるものには最適である。
（２）　また、他の態様ではテコを利用して畳を持ち上げるため、より簡単に下方に手が入る。
【図面の簡単な説明】
【図１】本発明畳枠の１例を示す平面図である。
【図２】移動部３の拡大側面図である。
【図３】移動部３の他の例を示す平面図である。
【図４】移動部３の他の例を示す平面図である。
【図５】図５は、枠の一部を押圧することによって畳の一部が持ち上がるよう構成されたテコ部を設けた例の部分側面図である。
【符号の説明】
１　本発明畳枠
２　畳
３　移動部
４　取外し部
５　押圧部
６　テコ部
【図１】
2004011202.tif 000003
【図２】
2004011202.tif 000004
【図３】
2004011202.tif 000005
【図４】
2004011202.tif 000006
【図５】
2004011202.tif 000007